(57)【要約】【課題】家電製品の外観の雰囲気を購入後に好みに合わせて確実に変えることができる家電製品化粧シート貼付方法を提供すること。【解決手段】本発明では、家電製品の表面部へ化粧シートを貼付する家電製品化粧シート貼付方法であって、所定の大きさ寸法の無地シートを準備する準備工程と、前記家電製品の表面部の形状及び大きさ寸法を認識する認識工程と、前記認識工程で認識した家電製品の表面部の形状及び大きさ寸法に基づき、前記無地シートに模様を印刷して化粧シートを作成する印刷工程と、前記家電製品の表面部の形状及び大きさ寸法に基づき、前記印刷工程で模様が付された化粧シートを裁断する裁断工程と、前記裁断工程で裁断された化粧シートを前記家電製品の表面部に貼付する貼付工程と、を備えるようにした。【選択図】  図２
2019090565.tif 000002
【特許請求の範囲】
【請求項１】
家電製品の表面部へ化粧シートを貼付する家電製品化粧シート貼付方法であって、所定の大きさ寸法の無地シートを準備する準備工程と、前記家電製品の表面部の形状及び大きさ寸法を認識する認識工程と、前記認識工程で認識した家電製品の表面部の形状及び大きさ寸法に基づき、前記無地シートに模様を印刷して化粧シートを作成する印刷工程と、前記家電製品の表面部の形状及び大きさ寸法に基づき、前記印刷工程で模様が付された化粧シートを裁断する裁断工程と、前記裁断工程で裁断された化粧シートを前記家電製品の表面部に貼付する貼付工程と、を備えたことを特徴とする家電製品化粧シート貼付方法。
【請求項２】
前記家電製品の表面部は、分離可能な複数の構成部材により構成されており、
前記貼付工程では、前記化粧シートに印刷された模様が前記複数の構成部材の互いに対向する端部において複数の構成部材に亘って連続するように貼付されることを特徴とする請求項１に記載の家電製品化粧シート貼付方法。
【請求項３】
前記家電製品の表面部には、その表面部の一般面から陥没する凹部又は凸部が形成されており、
前記裁断工程では、前記凹部又は凸部を連続して被覆できるように前記化粧シートが裁断され、
前記貼付工程では、前記凹部又は凸部が連続して被覆されるように前記化粧シートが貼付されることを特徴とする請求項２に記載の家電製品化粧シート貼付方法。
【請求項４】
前記化粧シートは、前記家電製品としての冷蔵庫の収納部を構成する複数の収納部構成部材の外側正面部に設けられたパネルに貼付されることを特徴とする請求項３に記載の家電製品化粧シート貼付方法。
【請求項５】
前記冷蔵庫の複数の収納部構成部材は、前記冷蔵庫の収納部を開閉可能に被覆する観音開きの一対の扉であることを特徴とする請求項４に記載の家電製品化粧シート貼付方法。
【請求項６】
前記家電製品の凹部は、冷蔵庫の収納部を構成する引き出し部の正面パネルに形成された引き出し用把持部の下方に設けられた手を入れるための凹部であることを特徴とする請求項３に記載の家電製品化粧シート貼付方法。
【発明の詳細な説明】
【技術分野】
【０００１】
本発明は、家電製品の表面部へ化粧シートを貼付する技術に関する。
【背景技術】
【０００２】
一般に、家庭電化製品（家電製品）は「白物家電」と称される場合もあり、特に、冷蔵庫に関しては筐体の色彩は白一色のものが多かったが、近年、白以外の色彩のものも広く販売されている。
【０００３】
しかしながら、いずれも色彩の場合にもモノトーンのものが多く、居室内に置かれる家具としては興趣に欠けると考える消費者も存在する場合があった。
【０００４】
このような観点から、従来、冷蔵庫の外観の雰囲気を変えることを目的とし、冷蔵庫の前面構造部材のほぼ全体に亘って模様の付いた布を張り付けるようにしたものが提案されている（特許文献１）。
【先行技術文献】
【特許文献】
【０００５】
【特許文献１】特開平９-２６９１８５号公報
【発明の概要】
【発明が解決しようとする課題】
【０００６】
特許文献１に記載された冷蔵庫は、冷蔵庫の前面構造部材のほぼ全体に亘って模様の付いた布が張り付けられて成り、冷蔵庫の外観の雰囲気が購入時のものと比較して大きく変化していると思われる。
【０００７】
上記のように消費者が冷蔵庫の購入後において、モノトーンの外観意匠を当該消費者の嗜好に基づき変更したい、という希望を持つ場合もあるが、特許文献１には、模様布を冷蔵庫の表面部にいかに貼付するか、についての具体的方法に関しては開示されておらず、上記の消費者の要請に応えることはできない。一般の消費者が冷蔵庫購入後に、自ら冷蔵庫の外表面部に模様布等を貼付して外観品質を向上させることは、技術上、非常に困難であった。
【０００８】
本発明は上記事情に鑑みてなされたもので、家電製品の外観の雰囲気を購入後に好みに合わせて容易に変えることができる家電製品化粧シート貼付方法を提供することを課題とする。
【課題を解決するための手段】
【０００９】
上述した課題を解決するため、請求項１に記載の発明は、家電製品の表面部へ化粧シートを貼付する家電製品化粧シート貼付方法であって、所定の大きさの無地シートを準備する準備工程と、前記家電製品の表面部の形状及び大きさ寸法を認識する認識工程と、前記認識工程で認識した家電製品の表面部の形状及び大きさ寸法に基づき、前記無地シートに模様を印刷して化粧シートを作成する印刷工程と、前記家電製品の表面部の形状及び大きさ寸法に基づき、前記印刷工程で模様が付された化粧シートを裁断する裁断工程と、前記裁断工程で裁断された化粧シートを前記家電製品の表面部に貼付する貼付工程と、を備えている。
【００１０】
「模様」は、図形、絵柄、文字などの模様要素により構成される。
「無地シート」は、模様が施されない状態のシートであり、透明、白、黒など特に限定はない。無地シートは、例えば樹脂製のフィルムである。
【００１１】
請求項２に記載の発明は、請求項１に記載の家電製品化粧シート貼付方法において、前記家電製品の表面部は、分離可能な複数の構成部材により構成されており、前記貼付工程では、前記化粧シートに印刷された模様が前記複数の構成部材の互いに対向する端部において複数の構成部材に亘って連続するように貼付される。
【００１２】
請求項３に記載の発明は、請求項２に記載の家電製品化粧シート貼付方法において、前記家電製品の表面部には、その表面部の一般面から陥没する凹部又は凸部が形成されており、前記裁断工程では、前記凹部又は凸部を連続して被覆できるように前記化粧シートが裁断され、前記貼付工程では、前記凹部又は凸部が連続して被覆されるように前記化粧シートが貼付される。
【００１３】
請求項４に記載の発明は、請求項３に記載の家電製品化粧シート貼付方法において、前記家電製品としての冷蔵庫の収納部を構成する複数の収納部構成部材の外側正面部に設けられたパネルに貼付される。
【００１４】
請求項５に記載の発明は、請求項４に記載の家電製品化粧シート貼付方法において、前記冷蔵庫の複数の収納部構成部材は、前記冷蔵庫の収納部を開閉可能に被覆する観音開きの一対の扉である。
【００１５】
請求項６に記載の発明は、請求項３乃至請求項５の何れか１項に記載の家電製品化粧シート貼付方法において、前記家電製品の凹部は、冷蔵庫の収納部を構成する引き出し部の正面パネルに形成された引き出し用把持部の下方に設けられた手を入れるための凹部である。
【発明の効果】
【００１６】
請求項１に記載の発明によれば、先ず、所定の大きさ寸法の無地シートが準備され、認識工程で家電製品の表面部の形状及び大きさ寸法が認識される。
次いで、認識工程で認識した家電製品の表面部の形状及び大きさ寸法に基づき、予め用意された無地シートの表層に印刷工程にて模様が印刷され化粧シートが作成され、次いで、模様が付された化粧シートが裁断工程にて裁断される。
【００１７】
そして、前記印刷工程及び裁断工程を経て得られた化粧シートが貼付工程にて家電製品の表面部に貼付される。家電製品の表面部に貼付される化粧シートは、認識工程及び裁断工程により予め家電製品の表面部の形状及び大きさ寸法が考慮されているので、容易な貼付が可能となる。
【００１８】
従って、請求項１に記載の発明によれば、準備工程、認識工程、印刷工程、裁断工程、及び貼付工程を実行することにより、家電製品の化粧シートの作成及び貼付を確実に行うことができ、家電製品の外観の雰囲気を購入後に好みに合わせて容易に変えることができる。
【００１９】
請求項２に記載の発明によれば、前記貼付工程で前記化粧シートに印刷された模様が前記複数の構成部材に亘って連続するように貼付されるため、例えば花や動物の絵柄を分離可能な構成部材の１つの連続した領域に収まるように小さく表示するだけでなく、前記分離可能な構成部材に跨って大きく表示できるようになる。
従って、請求項２に記載の発明によれば、家電製品の外観の雰囲気を購入後に好みに合わせて確実に変えることができるだけでなく、家電製品ユーザーの要望に沿って大小様々なデザインを連続させて表示させることもできる。
【００２０】
請求項３に記載の発明によれば、前記裁断工程で家電製品の表面部に形成された凹部又は凸部を連続して被覆できるように前記化粧シートが予め裁断され貼付されるため、面一でない表面部分に対しても模様を連続させやすいものとなる。
従って、請求項３に記載の発明によれば、家電製品の表面部の全体に対し下地が残ることなく化粧シートを貼付でき、外観品質を良好に維持して化粧シートを貼付できるようになる。
【００２１】
請求項４及び請求項５に記載の発明によれば、家電製品である冷蔵庫に家電製品化粧シート貼付方法が適用され、化粧シートが冷蔵庫の複数の収納部構成部材の外側正面部に設けられたパネルに貼付される。冷蔵庫は、一般的に家庭における占有スペースが大きく目立ちやすい場所に設置されることが多い。
従って、請求項４及び請求項５に記載の発明によれば、冷蔵庫が部屋の空間内において占める大きさは大きいことから、より部屋全体の雰囲気を興趣のあるものにすることができる。
【００２２】
請求項６に記載の発明によれば、請求項３に記載の発明が冷蔵庫の収納部を構成する引き出し部の正面パネルに形成された引き出し用把持部の下方に設けられた手を入れるための凹部に対して適用される。
【００２３】
従って、請求項６に記載の発明によれば、冷蔵庫の凹部においても化粧用シートを連続して貼付でき、請求項３の発明と同様に外観品質を良好に維持して化粧シートを貼付できる。なお、冷蔵庫は一般的に家庭内の占有スペースが大きく目立ちやすいため、冷蔵庫への化粧シートの貼付に際しては外観品質を良好に保てる本願の請求項６に記載の発明の実施が好ましい。
【図面の簡単な説明】
【００２４】
【図１】図１は本発明に係る家電製品化粧シート貼付方法が適用される冷蔵庫の一実施形態を示す正面図である。
【図２】図２は本発明に係る家電製品化粧シート貼付方法の一実施形態を示す図であり、家電製品化粧シート貼付方法の工程の流れを示すフローチャートである。
【図３】図３は本実施形態の家電製品化粧シート貼付方法における印刷工程の説明図であり、印刷工程で作成された化粧シートを示す図である。
【図４】図４は本実施形態の家電製品化粧シート貼付方法における裁断工程の説明図であり、裁断工程で冷蔵庫の高さ方向に分割された化粧シートを示す図である。
【図５】図５は本実施形態の家電製品化粧シート貼付方法における裁断工程の説明図であり、裁断工程で冷蔵庫の高さ方向及び幅方向に分割された化粧シートを示す図である。
【図６】図６は本実施形態の家電製品化粧シート貼付方法における貼付工程の説明図であり、貼付工程で化粧シートが張り付けられた冷蔵庫の正面図である。
【発明を実施するための形態】
【００２５】
添付図面を参照して、本発明に係る家電製品化粧シート貼付方法を実施形態に基づき詳細に説明する。
【００２６】
先ず、本実施形態の家電製品化粧シート貼付方法が適用される冷蔵庫について説明する。
家電製品化粧シート貼付方法は、図１に示す冷蔵庫１０に適用され、冷蔵庫１０は、食材を冷蔵又は冷凍する複数の収容部を有し、収容部に応じた複数の分離可能な収容部構成部材を有している。
【００２７】
冷蔵庫１０の収容部構成部材は、収納部を開閉可能に被覆する観音開きの一対の扉１１、１２やその下方に配置され同じく収容部を開閉可能に被覆する引き出し部１３〜１６を有している。なお、扉１１、１２や引き出し部１３〜１６の外側正面部は、合成樹脂製のパネルにより構成されている。
【００２８】
引き出し部１３〜１６は、引き出し部１３〜１６を手前に引き寄せて収容部を開放できるように手を引っ掛けることのできる引き出し用把持部１７〜２０が形成された引き出し縁部４１〜４４を有している。この引き出し縁部４１〜４４は、いずれも冷蔵庫１０の幅方向に亘って設けられ一定の幅寸法を有している。
【００２９】
引き出し部１５、１６にあっては、其々、引き出し部１５、１６の正面側のパネルの下方にて手を入れるための引き出し凹部２１、２２が形成されている。引き出し凹部２１、２２は、冷蔵庫１０の背面方向に凹み引き出し把持部１９、２２が掴みやすくなる部分である。
【００３０】
また、冷蔵庫１０の扉１２に冷蔵や冷凍の温度やその他の各種設定を可能とする操作パネル２３が取り付けられている。
【００３１】
以下、図１に示す冷蔵庫１０を対象として、冷蔵庫１０の外観の雰囲気を変える家電製品化粧シート貼付方法を説明する。
【００３２】
図２は家電製品化粧シート貼付方法の工程の流れを示すフローチャートである。
図２に示すように、本実施形態の家電製品化粧シート貼付方法１００は、準備工程１０１、認識工程１０２、印刷工程１０３、裁断工程１０４、及び貼付工程１０５を備えている。各工程について、図３〜図６を用いて説明する。
【００３３】
＜準備工程＞
図２に示す準備工程１０１は、図３に示す各種の模様５１〜５６が付されることとなる無地シート３０を用意する工程である。無地シート３０は、図１の冷蔵庫１０の高さ寸法及び幅寸法よりも大きい高さ寸法及び幅寸法の透明樹脂製フィルムである。
【００３４】
＜認識工程＞
図２に示す認識工程１０２は、図１の冷蔵庫１０の表面部の形状及び寸法を認識し決定する工程である。
【００３５】
認識工程１０２では、巻き尺などの寸法測定具を用いて冷蔵庫１０の全体の高さ寸法と幅寸法を測定する。そして、図１の冷蔵庫１０の高さ寸法よりもやや大きい高さ寸法と冷蔵庫１０の幅寸法よりもやや大きい幅寸法を印刷サイズとし、この高さ寸法及び幅寸法をコンピュータに入力する。
【００３６】
＜印刷工程＞
図２に示す印刷工程１０３は、認識工程１０２で認識し決定した冷蔵庫１０の表面部の形状及び大きさ寸法に基づいて、図３に示す化粧シート３１を作成する工程である。
【００３７】
印刷工程１０３では、コンピュータと連携し、コンピュータに保存された上記の印刷サイズのデータに基づいて印刷を行う印刷装置を用い、無地シート３０の表面に模様要素５１〜５６を印刷し化粧シート３１を作成する。
【００３８】
なお、本実施形態にあっては、図３に示すように、模様は背景色である模様要素５１、絵柄の模様要素５２、及び図形の模様要素５３〜５７から構成される。
【００３９】
＜裁断工程＞
図２に示す裁断工程１０４は、印刷工程１０３で決定した図１の冷蔵庫１０の表面部の形状及び大きさ寸法、即ち、冷蔵庫１０の扉１１、１２、引き出し部１３〜１６の外側正面部に設けられたパネルの形状及び大きさ寸法に沿って、図３の化粧シート３１を裁断していく工程である。なお、裁断工程１０４で余白３２は適時取り除く。
【００４０】
裁断工程１０４では、図３及び図４の比較に示すように、図３の化粧シート３１に付された模様要素５２〜５７が冷蔵庫１０の高さ方向（以下、縦方向）において連続するように分割する。
【００４１】
先ず、図３に示す化粧シート３１を裁断場所に置き、裁断開始点６１から図１の扉１１、１２のパネル部分の縦方向寸法を確保して裁断し、化粧シート３２を得る。
【００４２】
続いて、化粧シート３２を取り除いた残りの化粧シートの裁断端部から引き出し部１３や１４のパネル部分の縦方向寸法を確保して裁断し、化粧シート３３を得る。
【００４３】
続いて、化粧シート３３を取り除いた残りの化粧シートの裁断端部から引き出し部１５のパネルの部分の縦方向寸法を確保して裁断し、化粧シート３４を得る。
【００４４】
続いて、化粧シート３４を取り除いた残りの化粧シートの裁断端部から引き出し部１６のパネルの部分の縦方向寸法を確保して裁断し、化粧シート３５を得る。
【００４５】
化粧シート３４は、図４に示すように、図１の引き出し凹部２１に対応する部分において上方に凸の化粧シート拡大部３８を有している。この化粧シート拡大部３８は、裁断によって化粧シート３４を得た後、化粧シート拡大部３８となる部分を残して化粧シート３４を切り欠かくことにより形成している。
【００４６】
また、化粧シート３５は、図１の引き出し凹部２２に対応する部分において上方に凸の化粧シート拡大部３９を有している。この化粧シート拡大部３９は、裁断によって化粧シート３５を得た後、化粧シート拡大部３９となる部分を残して化粧シート３５を切り欠かくことにより形成している。
【００４７】
化粧シート３２については、図５に示すように、図１の扉１１及び扉１２の幅寸法に対応させて縦断し、化粧シート３３については、図１の引き出し部１３及び引き出し部１４の長さ寸法に対応させて縦断する。
【００４８】
＜貼付工程＞
図２に示す貼付工程１０５は、図１の冷蔵庫１０の扉１１、１２、引き出し部１３、１４、１５、１６の表面部のパネルに対し、化粧シート３２ａ、３２ｂ、３３ａ、３３ｂ、３４、３５を接着剤で貼り付ける工程である。図６は冷蔵庫１０に各化粧シート３２ａ、３２ｂ、３３ａ、３３ｂ、３４、３５を張り付けた状態を示したものである。
【００４９】
貼付工程１０５にあっては、化粧シート３２ａ及び化粧シート３２ｂに印刷された模様５３ａ及び模様５３ｂが扉１１及び扉１２の端部においてこの扉１１及び扉１２に亘って左右に連続するように貼付し、化粧シート３３ａ及び化粧シート３３ｂに印刷された模様５４ａ及び模様５４ｂが引き出し部１３及び引き出し部１４の端部においてこの引き出し部１３及び引き出し部１４に亘って左右に連続するように貼付する。
【００５０】
また、化粧シート３３ａ及び化粧シート３４に印刷された模様５５ａ及び模様５５ｂが引き出し部１３及び引き出し部１５の端部においてこの引き出し部１３及び引き出し部１５に亘って上下に連続するように貼付し、化粧シート３３ｂ及び化粧シート３４に印刷された模様５６ａ及び模様５６ｂが引き出し部１４及び引き出し部１５の端部においてこの引き出し部１４及び引き出し部１５に亘って上下に連続するように貼付する。
【００５１】
また、化粧シート３４及び化粧シート３５に印刷された模様５７ａ及び模様５７ｂが引き出し部１５及び引き出し部１６の端部においてこの引き出し部１５及び引き出し部１６に亘って上下に連続するように貼付する。
【００５２】
なお、図６に示すように、化粧シート３２ｂは、操作パネル２３に対応する部分が切り抜かれる。化粧シート３２ｂの切り抜き部分は、先ず、養生シートを介して化粧シート３２ｂを扉１２に重ね合わせておき、次いで、操作パネル２３の輪郭形状に沿って化粧シート３２ｂを切り抜くことによって形成する。
【００５３】
次に、家電製品化粧シート貼付方法１００の効果を説明する。
家電製品化粧シート貼付方法１００にあっては、上述した準備工程１０１、認識工程１０２、印刷工程１０３、裁断工程１０４、及び貼付工程１０５によって、冷蔵庫１０の化粧シート３１の作成及び貼付を確実に行うことができ、冷蔵庫１０の外観の雰囲気を購入後に好みに合わせて確実に変えることができる。
【００５４】
加えて、図１に示すように冷蔵庫１０の表面部にその表面部の一般面から陥没する引き出し凹部２１、２２が形成されていている場合、裁断工程１０４で引き出し凹部２１、２２による形状面積の拡大を補う化粧シート拡大部３８、３９を形成するようにしている。このため、図６に示すように引き出し凹部２１、２２の模様５５ａ及び５５ｂ、５６ａ及び５６ｂ、５７ａ及び５７ｂが連続するように印刷でき且つ貼付することができる。
【００５５】
以上、本発明に係る家電製品化粧シート貼付方法を１つの実施形態に基づき説明してきたが、具体的な構成については、本実施形態に限られるものではない。
【００５６】
例えば、本発明に係る家電製品化粧シート貼付方法を冷蔵庫に適用する例を示したが、その他の家電に適用してもよい。
【００５７】
また、模様は、本実施形態で示したものに限らず、キャラクターの絵柄や文字などを含んで構成することもできる。
【符号の説明】
【００５８】
１０…冷蔵庫
１１、１２…扉
１３〜１６…引き出し部
１７〜２０…引き出し用把持部
４１〜４４…引き出し縁部
２１、２２…引き出し凹部
２３…操作パネル
２６…化粧シートの印刷サイズ
３０…無地シート
３１…化粧シート
３２ａ、３２ｂ、３３ａ、３３ｂ、３４、３５…裁断された化粧シート
３８、３９…化粧シート拡大部
５１〜５６…化粧シートの模様の要素
６１…化粧シートの裁断開始点
１００…家電製品化粧シート貼付方法
１０１…準備工程
１０２…認識工程
１０３…印刷工程
１０４…裁断工程
１０５…貼付工程
【図１】
2019090565.tif 000003
【図２】
2019090565.tif 000004
【図３】
2019090565.tif 000005
【図４】
2019090565.tif 000006
【図５】
2019090565.tif 000007
【図６】
2019090565.tif 000008